(57)【特許請求の範囲】
【請求項１】
第１の通信装置と第２の通信装置とを備え、
前記第１の通信装置は、
電話通信機能を利用した電話通信の送信データを取得する送信データ取得手段と、
前記電話通信機能とは異なる特定の音声通信機能の情報である特定音声通信機能情報を記憶する記憶手段と、
前記電話通信の際に、前記送信データに、前記記憶手段により記憶される前記特定音声通信機能情報を付加する付加手段と、
前記特定音声通信機能情報が付加された前記送信データを送信する送信手段と、を含み、
前記第２の通信装置は、
各通信装置の相手先を示すアドレス情報と特定音声通信機能情報とを対応付けて記憶するアドレス記憶手段と、
前記第１の通信装置が電話通信の際に、送信した前記送信データを受信する受信手段と、
前記受信手段により受信した前記送信データに、前記特定音声通信機能情報が付加されているか否かを判定する判定手段と、
前記アドレス記憶手段から前記第１の通信装置の前記アドレス情報を取得するアドレス情報取得手段と、
前記電話通信が終了した後に、前記アドレス情報取得手段により取得された前記第１の通信装置の前記アドレス情報及び前記送信データに付加されていた前記特定音声通信機能情報と、を対応付けて、前記アドレス記憶手段に書き込む書込手段と、を含む、ことを特徴とする通信システム。
【請求項２】
請求項１に記載の通信システムにおいて、
前記書込手段は、書き込みの可否を、ユーザーに選択させる書込可否選択手段、
をさらに含み、
前記書込手段は、前記書込可否選択手段により示されるユーザーの選択内容に応じて、前記アドレス情報取得手段により取得されるアドレス情報と、前記送信データに付加されていた特定音声通信機能情報と、を対応付けて、前記アドレス記憶手段に書き込む、
ことを特徴とする通信システム。
【請求項３】
請求項１乃至２のいずれかに記載の通信システムにおいて、
前記記憶手段は、複数の特定音声通信機能をそれぞれ示す複数の特定音声通信機能情報を記憶し、
前記第１の通信装置は、
前記記憶手段に記憶される前記特定音声通信機能情報のうち１又は複数を、ユーザーに選択させる特定音声通信機能情報選択手段、をさらに含み、
前記付加手段は、前記特定音声通信機能情報選択手段により示されるユーザーの選択内容に応じて、前記送信データに、１又は複数の前記特定音声通信機能情報を付加する、
ことを特徴とする通信システム。
【請求項４】
請求項１乃至３のいずれかに記載の通信システムにおいて、
前記特定音声通信機能は、テレビ電話通信機能又はＰＴＴ（Push To Talk）機能である、
ことを特徴とする通信システム。
【発明の詳細な説明】
【技術分野】
【０００１】
本発明は通信システムに関し、特に、通信装置が、他の通信装置の対応機能を示す情報を自動収集するための技術に関する。
【背景技術】
【０００２】
通信装置が、他の通信装置から電話番号やメールアドレスなどのアドレス情報を自動収集できるようにした通信システムが知られている。
【０００３】
特許文献１には、このような通信システムの例が記載されている。特許文献１に記載されている技術では、携帯電話は、送信するメールにメール関連アドレス情報（「名前」、「フリガナ」、「電話番号」、「メールアドレス」）を付加する。メールを受信した携帯電話は、該メールに付加されているメール関連アドレス情報を記録する。こうして、携帯電話は、他の携帯電話から、メール関連アドレス情報を自動収集している。
【特許文献１】特開２００２−１６３２０４号公報
【発明の開示】
【発明が解決しようとする課題】
【０００４】
ところで、アドレス情報が自動収集されたとしても、アドレス情報が分かっただけでは必ずしも通信できるとは限らない。すなわち、近年は通信機能が多様化しており、必ずしも通信の相手方が自分と同じ通信機能を有しているとは限らず、有していない場合には通信できない。
【０００５】
このため、ユーザーは、あまり普及していない通信機能を利用して通信を行おうとする際には、通信の相手方がその通信機能に対応しているか否かを該相手方に事前確認してから行うようにしていることが多い。
【０００６】
しかしながら、通信を開始する際に、いちいち事前確認を行うのは大変面倒である。また、事前確認を行っていては、通信を迅速に開始することができない。そこで、通信装置が、他の通信装置の対応機能を示す情報を自動収集しておくようにすることが望まれている。
【０００７】
従って、本発明の課題の一つは、通信装置が、他の通信装置の対応機能を示す情報を自動収集することができる通信システムを提供することにある。
【課題を解決するための手段】
【０００８】
上記課題を解決するための本発明にかかる通信システムは、第１の通信装置と第２の通信装置とを備え、第１の通信装置は、電話通信機能を利用した電話通信の送信データを取得する送信データ取得手段と、電話通信機能とは異なる特定の音声通信機能の情報である特定音声通信機能情報を記憶する記憶手段と、電話通信の際に、送信データに、記憶手段により記憶される特定音声通信機能情報を付加する付加手段と、特定音声通信機能情報が付加された送信データを送信する送信手段と、を含み、第２の通信装置は、各通信装置の相手先を示すアドレス情報と特定音声通信機能情報とを対応付けて記憶するアドレス記憶手段と、第１の通信装置が電話通信の際に、送信した送信データを受信する受信手段と、受信手段により受信した送信データに、特定音声通信機能情報が付加されているか否かを判定する判定手段と、アドレス記憶手段から第１の通信装置のアドレス情報を取得するアドレス情報取得手段と、電話通信が終了した後に、アドレス情報取得手段により取得された第１の通信装置のアドレス情報及び送信データに付加されていた特定音声通信機能情報と、を対応付けて、アドレス記憶手段に書き込む書込手段と、を含む、ことを特徴とする通信システムである。
【０００９】
これによれば、第１の通信装置に特定音声通信機能情報を記憶させているので、第２の通信装置は、第１の通信装置の対応機能を示す特定音声通信機能情報を自動収集することができる。
【００１１】
また、これによれば、第２の通信装置は、自動収集した特定音声通信機能情報を、アドレス情報と対応付けて蓄積することができる。
【００１２】
さらに、この通信システムにおいて、書込手段は、書き込みの可否を、ユーザーに選択させる書込可否選択手段、をさらに含み、書込手段は、書込可否選択手段により示されるユーザーの選択内容に応じて、アドレス情報取得手段により取得されるアドレス情報と、送信データに付加されていた特定音声通信機能情報と、を対応付けて、アドレス記憶手段に書き込む、こととしてもよい。
【００１３】
これによれば、第２の通信装置は、無条件に特定音声通信機能情報を書き込むのではなく、ユーザーが許可した場合にのみ、書き込むようにすることができる。
【００１４】
また、上記各通信システムにおいて、送信データは、第２の通信装置に対して電話通信の開始を要求するための発信要求信号である、こととしてもよい。
【００１５】
これによれば、第２の通信装置は、電話の着信とともに、特定音声通信機能情報を自動収集することができる。
【００１８】
また、上記各通信システムにおいて、記憶手段は、複数の特定音声通信機能をそれぞれ示す複数の特定音声通信機能情報を記憶し、第１の通信装置は、記憶手段に記憶される特定音声通信機能情報のうち１又は複数を、ユーザーに選択させる特定音声通信機能情報選択手段、をさらに含み、付加手段は、特定音声通信機能情報選択手段により示されるユーザーの選択内容に応じて、送信データに、１又は複数の特定音声通信機能情報を付加する、こととしてもよい。
【００１９】
これによれば、第２の通信装置に自動収集させる特定音声通信機能情報を、第１の通信装置のユーザーが決定することができる。
また、上述した通信システムのいずれかの通信システムにおいて、特定音声通信機能は、テレビ電話通信機能又はＰＴＴ（Push To Talk）機能としてもよい。
【発明を実施するための最良の形態】
【００２０】
本発明の実施の形態について、図面を参照しながら説明する。
【００２１】
図１は、本実施の形態にかかる通信システム４のシステム構成を示す図である。同図に示すように、通信システム４は、携帯電話１、携帯電話２、及び通信ネットワーク３を含んで構成される。
【００２２】
携帯電話１及び携帯電話２は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２３】
通信ネットワーク３は、例えば交換ネットワークやＴＣＰ／ＩＰネットワークなどの通信ネットワークであり、図示しない種々の通信装置と通信接続している。
【００２４】
携帯電話１及び携帯電話２は、いずれも通信装置として機能する。ここでは特に、移動体通信システムの移動局装置として機能し、図示しない基地局装置と無線通信を行うことにより、通信ネットワーク３と通信接続する。
【００２５】
携帯電話１及び携帯電話２は、いずれも音声電話、テレビ電話、ＰＴＴ（Push To Talk）、及びメールのための機能を備えており、通信ネットワーク３を介し、該通信ネットワーク３と接続している他の通信装置との間で、これらの機能のうちいずれかを利用して、通信を行う。
【００２６】
図２は、携帯電話１の機能ブロックを示す図である。同図に示すように、携帯電話１は、制御部１０、無線部１１、記憶部１２、入力部１３、表示部１４を含んで構成される。制御部１０は内部的に、通信処理部１００、付加部１０１、機能情報選択部１０２を含んで構成される。記憶部１２は、機能情報記憶部１２０を含んで構成される。
【００２７】
制御部１０は、携帯電話１の各部を制御するとともに、通信にかかる処理を行う。無線部１１はアンテナを備えており、制御部１０から入力される送信データを変調し、無線送信する。記憶部１２は、プログラムやデータを記憶する。入力部１３は、マウスやキーボードなどの入力デバイスであり、ユーザーの入力内容を取得し、制御部１０に出力する。表示部１４は、ディスプレイなどの表示デバイスであり、制御部１０から入力されるデータを、ユーザーに対して表示する。
【００２８】
通信処理部１００は、送信データを取得し、付加部１０１に出力する。この送信データには、通信制御のための制御データや、通信内容を示すデータなどが含まれる。音声電話、テレビ電話、ＰＴＴの通信開始時には、通信処理部１００は、送信データとして、特定の通信装置（ここでは携帯電話２であるとする。）のアドレスを示すアドレス情報を指定しつつ各通信の開始を要求するための発信要求信号を取得する。また、メール送信時には、通信処理部１００は、送信データとして、送信先通信装置（ここでは携帯電話２であるとする。）のアドレスを示すアドレス情報を含むメールヘッダと、メール本文と、を含むメールデータを取得する。
【００２９】
機能情報記憶部１２０は、特定機能を示す機能情報を記憶する。ここでは、上記テレビ電話とＰＴＴが特定機能であるとすると、機能情報記憶部１２０は、これらの特定機能をそれぞれ示す複数の機能情報を記憶する。
【００３０】
機能情報選択部１０２は、機能情報記憶部１２０に記憶される機能情報のうち１又は複数を、ユーザーに選択させる。具体的な例では、機能情報選択部１０２は、表示部１４に機能情報記憶部１２０に記憶される機能情報を表示させる。ユーザーは、この表示を確認し、入力部１３を利用して、１又は複数の機能情報を選択する。機能情報選択部１０２は、入力部１３からユーザーの選択内容を取得し、ユーザーが選択した機能情報を付加部１０１に出力する。
【００３１】
付加部１０１は、ユーザーの選択内容に応じて、通信処理部１００から入力される送信データに、機能情報記憶部１２０に記憶される機能情報のうち、１又は複数を付加する。具体的には、付加部１０１は、通信処理部１００から入力される送信データに、機能情報選択部１０２より入力される機能情報を付加する。より具体的には、付加部１０１は、上記発信要求信号又は上記メールデータに、機能情報を付加する。この場合において、付加部１０１は、上記発信要求信号中又は上記メールデータ中の所定位置に、機能情報を付加することが好適である。
【００３２】
付加部１０１は、機能状態を付加した場合には付加後の送信データを、付加しない場合には通信処理部１００から入力された送信データを、無線部１１に出力する。
【００３３】
図３は、携帯電話２の機能ブロックを示す図である。同図に示すように、携帯電話２は、制御部２０、無線部２１、記憶部２２、入力部２３、表示部２４を含んで構成される。制御部２０は内部的に、通信処理部２００、機能情報処理部２０１を含んで構成される。通信処理部２００は、さらに内部的に、判定部２０００を含んで構成される。また、機能情報処理部２０１は、さらに内部的に、アドレス情報取得部２０１０、書込可否選択部２０１１、書込部２０１２を含んで構成される。記憶部２２は、アドレス記憶部２２０を含んで構成される。
【００３４】
制御部２０は、携帯電話２の各部を制御するとともに、通信にかかる処理を行う。無線部２１はアンテナを備えており、該アンテナに到来した電波を受信し、復調して、制御部２０に出力する。以下では、携帯電話１が送信した電波を受信したものとして説明する。
【００３５】
記憶部２２は、プログラムやデータを記憶する。入力部２３は、マウスやキーボードなどの入力デバイスであり、ユーザーの入力内容を取得し、制御部２０に出力する。表示部２４は、ディスプレイなどの表示デバイスであり、制御部２０から入力されるデータを、ユーザーに対して表示する。
【００３６】
通信処理部２００は、無線部２１から入力される復調後の電波に基づき、送信データを取得する。
【００３７】
判定部２０００は、通信処理部２００が取得した送信データに、機能情報が付加されているか否かを判定する。具体的な例では、判定部２０００は、上記発信要求信号中又は上記メールデータ中の所定位置を確認することにより、機能情報が付加されているか否かを判定する。
【００３８】
判定部２０００は、付加されていないと判定した場合には特段の処理を行わないが、付加されていると判定した場合には、付加されている機能情報を取得して、機能情報処理部２０１に出力する。
【００３９】
機能情報処理部２０１は、判定部２０００から機能情報が入力された場合、該機能情報に基づく所定の処理を行う。以下、具体的に説明する。
【００４０】
まず、アドレス記憶部２２０は、いわゆるアドレス帳を記憶している。このアドレス帳には、他の通信装置のアドレスを示すアドレス情報と、機能情報と、が対応付けて記憶される。
【００４１】
アドレス情報取得部２０１０は、送信データを送信した通信装置のアドレスを示すアドレス情報を取得する。ここでは、携帯電話１のアドレスを示すアドレス情報が取得される。
【００４２】
書込可否選択部２０１１は、後述する書込部２０１２による書き込みの可否を、ユーザーに選択させる。具体的な例では、書込可否選択部２０１１は、表示部２４に、送信データに付加されていた機能情報を表示させる。ユーザーは、この表示を確認し、入力部２３を利用して、アドレス記憶部２２０への表示された機能情報の書き込みの可否を選択する。書込可否選択部２０１１は、入力部２３からユーザーの選択内容を取得する。
【００４３】
書込部２０１２は、書込可否選択部２０１１により取得されるユーザーの選択内容に応じて、アドレス情報取得部２０１０により取得されるアドレス情報と、送信データに付加されていた機能情報と、を対応付けて、アドレス記憶部２２０に書き込む。具体的には、ユーザーが書き込み可とした場合に限り、書込部２０１２は、アドレス情報取得部２０１０により取得されるアドレス情報と、送信データに付加されていた機能情報と、を対応付けて、アドレス記憶部２２０に書き込む。
【００４４】
以上説明した処理を、携帯電話１の表示部１４及び携帯電話２の表示部２４に表示される具体的な画面を参照しながら、再度より分かりやすく説明する。なお、ここでの説明では、ＰＴＴを示す機能情報（ＰＴＴ対応情報と称する。）を付加する場合について説明する。
【００４５】
図４は、メールデータに機能情報を付加する場合の具体的な画面を示す図である。上述のように、機能情報選択部１０２は、機能情報記憶部１２０に記憶される機能情報のうち１又は複数をユーザーに選択させるが、図４では、その具体的な態様（パターンＡ、パターンＢ）を２通り示す。
【００４６】
パターンＡでは、ユーザー設定項目メニューのひとつとして、メールデータに機能情報を付加するか否かを設定するための項目を設けておく。ユーザーは、この項目において、予めＰＴＴ対応情報を付加するか否かを設定しておく。機能情報記憶部１２０は、この設定内容により、メールデータに付加する機能情報としてユーザーがＰＴＴ対応情報を選択したか否かを判定する。
【００４７】
パターンＢでは、機能情報記憶部１２０は、メール送信の都度、ＰＴＴ対応情報を付加するか否かをユーザーに選択させる。
【００４８】
メールデータを受信した携帯電話２の通信処理部２００は、表示部２４にメールデータを表示させる（メール受信画面）。これと併せて、機能情報処理部２０１は、メールデータに付加されていたＰＴＴ対応情報に応じた情報を表示部２４に表示させる。図４では、この情報は「ＰＴＴ対応しました！」という文字情報である。
【００４９】
次いで、書込可否選択部２０１１は、表示部２４に、ユーザーにＰＴＴ対応情報をアドレス記憶部２２０に書き込むことの可否を選択させるための画面を表示させる（通知・登録確認画面）。ユーザーがこの画面において可を選択すると、書込部２０１２は、ＰＴＴ対応情報を、メールデータを送信した携帯電話１のアドレスを示すアドレス情報と対応付けて、アドレス記憶部２２０に書き込む。
【００５０】
図５は、発信要求信号に機能情報を付加する場合の具体的な画面を示す図である。図５でも、図４と同様、機能情報選択部１０２による処理の具体的な態様（パターンＡ、パターンＢ）を２通り示す。
【００５１】
パターンＡでは、ユーザー設定項目メニューのひとつとして、発信要求信号に機能情報を付加するか否かを設定するための項目を設けておく。ユーザーは、この項目において、予めＰＴＴ対応情報を付加するか否かを設定しておく。機能情報記憶部１２０は、この設定内容により、発信要求信号に付加する機能情報としてユーザーがＰＴＴ対応情報を選択したか否かを判定する。
【００５２】
パターンＢでは、機能情報記憶部１２０は、電話発信の都度、ＰＴＴ対応情報を付加するか否かをユーザーに選択させる。
【００５３】
発信要求信号を受信した携帯電話２の通信処理部２００は、表示部２４に着信している旨を示す情報を表示させる（着信画面）。これと併せて、機能情報処理部２０１は、発信要求信号に付加されていたＰＴＴ対応情報に応じた情報を表示部２４に表示させる。図４では、この情報は「ＰＴＴ対応」という文字情報である。
【００５４】
書込可否選択部２０１１は、通話切断後に、表示部２４に、ユーザーにＰＴＴ対応情報をアドレス記憶部２２０に書き込むことの可否を選択させるための画面を表示させる（通知・登録確認画面）。ユーザーがこの画面において可を選択すると、書込部２０１２は、ＰＴＴ対応情報を、発信した携帯電話１のアドレスを示すアドレス情報と対応付けて、アドレス記憶部２２０に書き込む。
【００５５】
なお、テレビ電話など通話中にユーザーが画面を確認できる場合には、書込可否選択部２０１１は、通話中に、通知・登録確認画面を表示させることとしてもよい。さらに、書込部２０１２も、通話中に、ＰＴＴ対応情報をアドレス記憶部２２０に書き込むこととしてもよい。
【００５６】
次に、携帯電話１及び携帯電話２の処理フローを参照しながら、上記各処理について、再度より詳細に説明する。なお、ここでの説明では、メールデータに機能情報を付加する場合について説明する。
【００５７】
図６は、携帯電話１の処理フローを示す図である。同図に示すように、携帯電話１は、メールを作成すると（Ｓ１）、機能情報を付加するか否かをユーザーに選択させる（Ｓ２）。その結果、ユーザーが機能情報を付加することを選択した場合、携帯電話１は、作成したメールに機能情報を付加し（Ｓ３）、メールを送信する（Ｓ４）。ユーザーが機能情報を付加しないことを選択した場合には、携帯電話１は、作成したメールに機能情報を付加することなく、メールを送信する（Ｓ４）。
【００５８】
図７は、携帯電話２の処理フローを示す図である。同図に示すように、携帯電話２は、メールを受信すると（Ｓ１０）、該メールに機能情報が付加されているか否かを判定する（Ｓ１１）。機能情報が付加されていた場合には、携帯電話２は、アドレス帳に既に記憶しているアドレス情報及び機能情報の組み合わせと、受信したメールの送信元のアドレスを示すアドレス情報及び付加されていた機能情報の組み合わせと、を比較し（Ｓ１２）、同じ組み合わせがアドレス帳に記憶されているか否かを判定する（Ｓ１３）。すなわち、アドレス帳の記憶内容が変更（未登録含む）されているかを判定する（Ｓ１３）。
【００５９】
同じ組み合わせが記憶されていなければ（アドレス帳の記憶内容が変更されていれば）、携帯電話２は、ユーザーに対して、受信したメールの送信元のアドレスを示すアドレス情報及び付加されていた機能情報の組み合わせを通知し（Ｓ１４）、該組み合わせによりアドレス帳を更新するか否かを選択させる（Ｓ１５）。ユーザーが更新することを選択した場合、携帯電話２は、受信したメールの送信元のアドレスを示すアドレス情報及び付加されていた機能情報の組み合わせにより、アドレス帳を更新し（Ｓ１６）、その処理を終了する（Ｓ１７）。
【００６０】
なお、携帯電話２は、Ｓ１１において機能情報が付加されていないと判定した場合、Ｓ１３において同じ組み合わせが記憶されていると判定した場合（アドレス帳の記憶内容が変更されていない場合）、Ｓ１５においてユーザーが更新しないことを選択した場合、にはその後の処理を行わず、その処理を終了する（Ｓ１７）。
【００６１】
以上説明したように、通信システム４によれば、携帯電話１に特定の機能を示す機能情報を記憶させているので、携帯電話２は、携帯電話１の対応機能を示す機能情報を自動収集することができる。
【００６２】
また、携帯電話２は、自動収集した機能情報を、アドレス情報と対応付けて蓄積することができる。さらに、携帯電話２は、無条件に機能情報を書き込むのではなく、ユーザーが許可した場合にのみ、書き込むようにすることができる。
【００６３】
また、携帯電話２は、電話の着信やメール受信とともに、機能情報を自動収集することができる。他にも、携帯電話２に自動収集させる機能情報を、携帯電話１のユーザーが決定することができる。
【００６４】
なお、本発明は上記実施の形態に限定されるものではない。例えば、上記実施の形態では携帯電話を例に挙げて説明したが、いかなる通信装置にも本発明を適用可能である。
【００６５】
また、上記実施の形態では機能情報を収集するための通信手段として電話又はメールを使用したが、機能情報の収集に用いることのできる通信手段はこれらに限られるものではない。例えば赤外線やＢｌｕｅｔｏｏｔｈ等、他の通信手段を用いても、本発明を実現することができる。
【００６６】
また、上記実施の形態では機能情報は特定機能を示す情報であるとしているが、例えばテレビ電話と音声電話とで電話番号が異なる場合などには、機能情報に電話番号を含めることとしてもよい。こうすれば、機能情報を受け取った通信装置のユーザーは、後に機能情報により示される特定機能を利用して通信を行おうとする場合、発信時に指定すべき電話番号をアドレス帳から取得することができるようになる。
【図面の簡単な説明】
【００６７】
【図１】本発明の実施の形態にかかる通信システムのシステム構成を示す図である。
【図２】本発明の実施の形態にかかる携帯電話の機能ブロックを示す図である。
【図３】本発明の実施の形態にかかる携帯電話の機能ブロックを示す図である。
【図４】本発明の実施の形態においてメールデータに機能情報を付加する場合の具体的な画面を示す図である。
【図５】本発明の実施の形態において発信要求信号に機能情報を付加する場合の具体的な画面を示す図である。
【図６】本発明の実施の形態にかかる携帯電話の処理フローを示す図である。
【図７】本発明の実施の形態にかかる携帯電話の処理フローを示す図である。
【符号の説明】
【００６８】
１，２  携帯電話、３  通信ネットワーク、４  通信システム、１０，２０  制御部、１１，２１  無線部、１２，２２  記憶部、１３，２３  入力部、１４，２４  表示部、１００，２００  通信処理部、１０１  付加部、１０２  機能情報選択部、１２０  機能情報記憶部、２０１  機能情報処理部、２２０  アドレス記憶部、２０００  判定部、２０１０  アドレス情報取得部、２０１１  書込可否選択部、２０１２  書込部。
【図１】
0004773884.tif 000002
【図２】
0004773884.tif 000003
【図３】
0004773884.tif 000004
【図４】
0004773884.tif 000005
【図５】
0004773884.tif 000006
【図６】
0004773884.tif 000007
【図７】
0004773884.tif 000008